(57)【要約】【課題】一般ユーザに対する操作性を悪化させることなく、不正な解錠行為対策として極めて有効なサムターンを実現する。【解決手段】本発明によるサムターンは、デットボルト駆動機構に連結されると共に回転軸線の回りで回転可能に支持されている回転作動体（１２）と、回転作動体（１２）に回転力を伝達するためのシャフト（３）と、シャフト（３）の端部に結合した把手（５）と、前記シャフトを軸線に沿ってスライド可能及び回転可能に支持する支持本体（２）と、前記シャフトに対して前記回転作動体から離れる方向の押圧力を作用するリターンスプリング（６）とを具える。そして、把手にリターンスプリグの押圧力を超える反対向きの押圧力が作用しない場合、把手及びシャフト（３）は単に空転するだけである。一方、前記把手（５）に、リターンスプリング（６）の押圧力を超える反対向きの押圧力が作用した場合、前記シャフトが回転作動体（１２）に機械的に連結され、把手に作用した回転力がハブに伝達されてデットボルトを施錠又は解錠する。【選択図】　　　　図１
2004143749.tif 000002
【特許請求の範囲】
【請求項１】
デットボルト駆動機構に連結されると共に回転軸線の回りで回転可能に支持されている回転作動体と、回転作動体に回転力を伝達するためのシャフトと、シャフトの端部に結合した把手と、前記シャフトを軸線に沿ってスライド可能及び回転可能に支持する支持本体と、前記シャフトに対して前記ハブから離れる方向の押圧力を作用するリターンスプリングとを具え、
前記把手にリターンスプリグの押圧力を超える反対向きの押圧力が作用しない場合、把手及びシャフトが空転し、前記把手に、リターンスプリングの押圧力を超える反対向きの押圧力が作用した場合、前記シャフトが回転作動体に機械的に連結され、把手に作用した回転力が回転作動体に伝達されてデットボルトを施錠又は解錠することを特徴とするサムターン。
【請求項２】
請求項１に記載の防犯サムターンにおいて、前記回転作動体の回転軸線と、シャフトの回転軸線と、シリンダの回転軸の軸線とが同一の軸線上に位置し、シリンダの回転軸と回転作動体とは機械的に連結され、前記回転作動体とシャフトとは、前記把手にリターンスプリングの押圧力を超える反対向きの押圧力が作用したときだけ機械的に連結することを特徴とする防犯サムターン。
【請求項３】
請求項１又は２に記載の防犯サムターンにおいて、前記把手が、ほぼ円形の外形を有することを特徴とする防犯サムターン。
【発明の詳細な説明】
【０００１】
【発明の属する技術分野】
本発明は、不正解錠行為に対して有効な防犯対策が施されたサムターン、特に不正なバイパス解錠に対して有効なサムターンに関するものである。
【０００２】
【従来の技術】
建築物用の施錠装置においては、ドアの内部に錠前ケースが内蔵され、錠前ケースにはデットボルト、デットボルト駆動機構及びハブが収納されている。そして、ドアの屋外側にはシリンダ錠が設けられ、ドアの屋内側にはサムターンが設けられている。そして、シリンダ錠の回転軸とハブとは機械的に連結され、屋外から施解錠する際キーによりシリンダ錠の回転軸を回転させることによりデットボルトが施錠及び解錠されている。また、ハブとサムターンとが機械的に連結され、屋内側からはサムターンを回動することにより施解錠するように構成されている。
【０００３】
一方、ドアに組み込まれた防犯ビューアーを破壊し、防犯ビューアー用の開口部からバイパス用具を挿入してサムターンを操作する不正な解錠行為が頻発しており、不正な解錠行為を防止するサムターンの開発が急務の課題となっている。この不正な解錠行為防止対策が施されたサムターンとして、サムターンの把手とシリンダの回転軸に連結された軸との間にコイルバネのような弾性変形可能な部材が結合され、不正な解錠行為に対する操作性を低下させる方法が提案されている（例えば、特許文献１参照）。別の不正解錠行為対策が施されたサムターンとして、サムターンの把手に、シリンダの回転軸と係合するコア部材及び伝達解除ネジを設け、伝達解除ネジの出し入れによりコア部材とシリンダの回転軸との係合及び係合解除が行われるサムターンが提案されている（例えば、特許文献２参照）。
【０００４】
【特許文献１】
特開平１１−３５０８０５号公報
【特許文献２】
特開２００１−２９５５１５号公報
【０００５】
【発明が解決しようとする課題】
上述した特許文献１に記載されたサムターンでは、サムターンの把手に作用する力の向きがドアに対して垂直以外の角度の場合、把手に結合された軸とシリンダの回転軸とが係合しにくいため、不正な解錠行為に対する防犯性が得られている。しかし、把手に作用する押圧力の向きが変化するだけで軸間の係合が確立されないため、ユーザにとっても操作性が大幅に低下し、高齢者や女性にとって取り扱いが極めて不便なものとなってしまう。
【０００６】
上述した特許文献２に記載されたサムターンでは、コア部材とシリンダの回転軸との間の係合及び係合解除を行うにはドライバのような工具が必要であり、ユーザにとって極めて操作性が悪く、実用性の観点において難点があった。
【０００７】
従って、本発明の目的は、一般ユーザに対する操作性を悪化させることなく、不正な解錠行為に対する防犯対策として極めて有効なサムターンを実現することにある。
【０００８】
【課題を解決するための手段】
本発明によるサムターンは、デットボルト駆動機構に連結されると共に回転軸線の回りで回転可能に支持されている回転作動体と、回転作動体に回転力を伝達するためのシャフトと、シャフトの端部に結合した把手と、前記シャフトを軸線に沿ってスライド可能及び回転可能に支持する支持本体と、前記シャフトに対して前記ハブから離れる方向の押圧力を作用するリターンスプリングとを具え、
前記把手にリターンスプリグの押圧力を超える反対向きの押圧力が作用しない場合、把手及びシャフトが空転し、前記把手に、リターンスプリングの押圧力を超える反対向きの押圧力が作用した場合、前記シャフトが回転作動体に機械的に連結され、把手に作用した回転力が回転作動体に伝達されてデットボルトを施錠又は解錠することを特徴とする。
【０００９】
本発明によるサムターンにおいては、把手に対してリターンスプリングの反発力を超える反対向きの押圧力が作用しない限りサムターンは空転するだけである。一方、屋外側からバイパス用具を挿入し、バイパス用具を介してサムターンの把手を回転させようとしても、サムターンの把手に回転力と共に屋内側から屋外側に向けて作用するリターンスプリングの反発力を超える押圧力を印加することは極めて困難であるため、把手を回転させることはできてもサムターン自体を回転させることは極めて困難である。従って、屋外側からバイパス用具を用いサムターンの把手を回転させても、サムターンの把手が空転するだけであり、デットボルトを解錠することができない。一方、屋内側から解錠する場合、単にサムターンの把手を押圧して回転するだけで解錠することができ、屋内側からの正規の解錠に対する操作性が低下する不具合は生じない。この結果、屋内側から解錠する際の操作性を低下させることなく、屋外側からの不正なバイパス行為に対する防犯性を一層高めることができる。
【００１０】
【発明の実施の形態】
図１は本発明による防犯サムターンの一例の構成を示す線図であり、サムターンをドアに取り付けた状態を示す。ドア１に、支持本体として機能する中空状のボディ２を固定する。ボディ２の内側空間内に、回転力の伝達を行うためのシャフト３を軸線に沿ってスライド可能及び回転可能に挿入する。シャフト１の一方の側にキャップ４及び把手５を結合する。ボディ２には、円環状の溝２ａを形成し、当該溝２ａとキャップ４との間にコイルバネで構成されるリターンスプリンク６を配置する。このリターンスプリングの作用により、シャフト３及び把手５は常時ドア１に内蔵されている錠前ケースから離れる方向の力を受けることになる。従って、把手５にリターンスプリングの押圧力を超える力を作用させない限り、シャフト３を錠前ケース方向に移動させることができない。シャフト３にはクリップ７が取り付けられ、このクリップ７はボディ２に設けた段差部２ｂに係止され、シャフト及び把手がボディから飛び出すのが防止される。
【００１１】
ドア１の屋内側の表面１ａにシリンダリング８を固定し、スペーサスプリング９及びスプリングホルダ１０と共に取付の際のドア厚に対して調整することができる。
【００１２】
ドア１に内蔵された錠前ケース１１内にハブのような回転作動体１２が回転可能に支持され、回転作動体１２は、デットボルトを施錠及び解錠するために出し入れするデットボルト駆動機構（図示せず）に連結する。ハブ１２のサムターン配置されている側とは反対側にシリンダ１３の係止部材１３ａが位置し、キー操作により係止部材１３ａは回転作動体に対して機械的に連結され、シリンダのキー操作により回転作動体１２は回動し、屋外側からデットボルトを施解錠することができる。
【００１３】
図２ａはシャフト３の回転作動体１２と対向する側の形状を示し、図２ｂは回転作動体１２のシャフト３と対向する側の形状を示す。シャフト３の回転作動体と対向する側には、円周上に沿って等間隔で４個の係止突起を形成する。一方、回転作動体１２のシャフト３と対向する側には、図示の形状の勘合孔１２ａを形成する。当該勘合孔には２個の係止突起８ｂを形成する。シャフト３が押圧されて錠前ケース１１に近づく方向に移動すると、シャフト３の先端はシリンダの回転軸８の孔８ａと勘合し、シャフト３と回転作動体とは機械的に連結された状態となる。そして、シャフト３が回転すると、その係止突起がハブの係止突起と係合するので、シャフト３の回転力が回転作動体１２に伝達され、ハブすなわち回転作動体に連結されたデットボルト駆動機構を介してデットボルトが施錠又は解錠されることになる。
【００１４】
図３はユーザが把手５に押圧を作用し、シャフト３が回転作動体１２と機械的に連結した状態を示す。把手５に押圧が作用しない場合、把手５及びシャフト３はフリーに回転するだけである。一方、ユーザが把手５にリターンスプリングの弾性力を超える押圧力を作用すると、シャフト３が回転作動体１２に近づく方向に移動し、シャフト３と回転作動体１２とが機械的に連結された状態となる。この状態で把手５を回転させると、回転作動体１２に回転力が伝達され、回転作動体の回転力がデットボルトを出し入れし、施錠又は解錠する。すなわち、ユーザが把手に押圧力を作用しながら回転させる場合だけ回転作動体が回転し、施錠及び解錠することができる。一方、屋外側からバイパス用具を挿入して把手に回転力を作用させても、リターンスプリングの反発力以上の反対向きの力を把手に作用させることは極めて困難である。しかも、不正解錠行為を行うため、屋外側からドアガラスを破壊して把手を回転しようとする場合、図面の右側から手を挿入し、しかも把手を屋外方向に押圧しながら回転しなければならず、把手を回転することが極めて困難であり、不正な解錠行為に対して極めて有効である。
【００１５】
本発明は上述した実施例だけに限定されず、種々の変形や変更が可能である。例えば、上述した実施例では、把手に作用する押圧力により、把手が結合されているシャフトと回転作動体との間を機械的に連結し及び連結解除する構成を採用したが、回転作動体とシャフトとを一体的に構成し、把手に印加する押圧力により把手とシャフトとの間の機械的連結及び連結解除を行うこともができる。
【図面の簡単な説明】
【図１】本発明によるサムターンの一例の構成を示す断面図である。
【図２】シャフト及びハブの勘合形状を示す端面図である。
【図３】把手に押圧力が作用した状態を示す断面図である。
【符号の説明】
１　ドア
２　ボディ
３　シャフト
４　キャップ
５　把手
６　リターンスプリング
７　クリップ
８　シリコンリング
９　スペーサリング
１０　スプリングホルダ
１１　錠前ケース
１２　回転作動体
【図１】
2004143749.tif 000003
【図２】
2004143749.tif 000004
【図３】
2004143749.tif 000005